(57)【要約】【課題】殺虫剤、カビ除去剤、洗浄剤、消臭剤、塗布薬のような薬剤や、化粧剤、香水、塗料などの噴霧対象物が、噴霧された場所において垂れ流れたり、噴霧された場所に衝突して噴霧者に跳ね返ることを防止できる噴霧対象物混合ゲル噴霧装置を提供する。【解決手段】本発明による噴霧対象物混合ゲル噴霧装置１は、スメクタイト族粘土鉱物と水と噴霧対象物とが混合されて形成されせん断力を受けることによってゲル構造が破壊されるとともにせん断力を受けていない場合にゲル構造を維持する噴霧対象物混合ゲル３と、噴霧対象物混合ゲルを収納する容器２と、容器２に取り付けられた噴霧器４とを備え、噴霧対象物混合ゲル３が噴霧器４によってせん断力を受けて噴霧されることを特徴とする。【選択図】図１
2008296115.tif 000002
【特許請求の範囲】
【請求項１】
スメクタイト族粘土鉱物と水と噴霧対象物とが混合されて形成されせん断力を受けることによってゲル構造が破壊されるとともにせん断力を受けていない場合にゲル構造を維持する噴霧対象物混合ゲルと、噴霧対象物混合ゲルを収納する容器と、容器に取り付けられた噴霧器とを備え、噴霧対象物混合ゲルが噴霧器によってせん断力を受けて噴霧されることを特徴とする噴霧対象物混合ゲル噴霧装置。
【請求項２】
噴霧対象物が薬剤であることを特徴とする請求項１に記載の噴霧対象物混合ゲル噴霧装置。
【発明の詳細な説明】
【技術分野】
【０００１】
本発明は、噴霧対象物が、吹付けられた場所において垂れ流れたり、噴霧された場所に衝突して噴霧者に跳ね返ることを防止できる噴霧対象物混合ゲル噴霧装置に関する。
【背景技術】
【０００２】
液体を噴霧する噴霧装置や（例えば、特許文献１参照）、液状の塗布薬を噴霧する噴霧装置が知られている（例えば、特許文献２参照）。その他、液状の殺虫剤、カビ除去剤、洗浄剤、消臭剤のような薬剤や、化粧剤、香水、塗料などを噴霧する噴霧装置も知られている。
【特許文献１】特開２００３−１９２０６４号公報
【特許文献２】特開２００６−４３５３９号公報
【発明の開示】
【発明が解決しようとする課題】
【０００３】
しかしながら、従来の噴霧装置では、噴霧された液体が吹付けられた場所において垂れ流れたり、噴霧された液体が吹付けられた場所に衝突して噴霧者に跳ね返るといった問題があった。例えば、塗装する面に噴霧された塗料が垂れ流れてしまって塗りがうまくいかなかったり、人肌に噴霧された塗布薬、化粧剤、香水などが垂れ流れてしまって不快を感じたりすることがある。また、殺虫剤、カビ除去剤、洗浄剤などが吹付けられた場所に衝突して噴霧者に跳ね返って噴霧者の目や口に入ることもあり、危険である。
本発明は、上記課題に鑑みてなされたもので、殺虫剤、カビ除去剤、洗浄剤、消臭剤、塗布薬のような薬剤や、化粧剤、香水、塗料などの噴霧対象物が、噴霧された場所において垂れ流れたり、噴霧された場所に衝突して噴霧者に跳ね返ることを防止できる噴霧対象物混合ゲル噴霧装置を提供する。
【課題を解決するための手段】
【０００４】
本発明による噴霧対象物混合ゲル噴霧装置は、スメクタイト族粘土鉱物と水と噴霧対象物とが混合されて形成されせん断力を受けることによってゲル構造が破壊されるとともにせん断力を受けていない場合にゲル構造を維持する噴霧対象物混合ゲルと、噴霧対象物混合ゲルを収納する容器と、容器に取り付けられた噴霧器とを備え、噴霧対象物混合ゲルが噴霧器によってせん断力を受けて噴霧されることを特徴とする。
噴霧対象物が薬剤であることも特徴とする。
【発明の効果】
【０００５】
本発明の噴霧対象物混合ゲル噴霧装置によれば、噴霧対象物混合ゲルが噴霧器によって液状となって噴霧されるとともに、噴霧後にゲル構造に戻るので、噴霧された場所に衝突して噴霧者に跳ね返ることを防止できる。よって、噴霧対象物として、人体に有害な殺虫剤、カビ除去剤、洗剤のような薬剤を用いた場合でも、使用時の安全性を向上できるようになる。また、噴霧後にゲル構造に戻るので、噴霧された場所においての垂れ流れも防止できる。よって、噴霧対象物として、人体に噴霧する塗布薬のような薬剤や、化粧剤、香水を用いた場合、噴霧対象物垂れ流れを嫌う人に適した塗布薬のような薬剤や、化粧剤、香水を提供できる。また、噴霧対象物として、塗料を用いた場合、塗料の垂れ流れが防止されて塗りむらの少ない塗料を提供できる。また、噴霧対象物として、消臭剤を用いた場合、噴霧された場所に消臭剤が定着しやすくなり、消臭維持効果の高い消臭剤が得られる。
噴霧対象物として薬剤を用いれば、上述したように、安全性を向上できる殺虫剤、カビ除去剤、洗剤のような薬剤を提供でき、また、不快感の少ない塗布薬を提供できる。
【発明を実施するための最良の形態】
【０００６】
図１及び図２は本発明の最良の形態を示し、図１は噴霧対象物混合ゲル噴霧装置の外観を示し、図２は噴霧器の断面を示す。
【０００７】
図１を参照し、噴霧対象物混合ゲル噴霧装置を説明する。噴霧対象物混合ゲル噴霧装置１は、容器２と、容器２内に収容された噴霧対象物混合ゲル３と、噴霧対象物混合ゲル３にせん断力を加えて噴霧対象物を容器２の外に噴霧するための噴霧器４とを備える。
【０００８】
噴霧対象物混合ゲル３は、スメクタイト族粘土鉱物と水と噴霧対象物とが混合されて形成される。噴霧対象物としては、次のようなものを使用できる。例えば、ゴキブリのような害虫を殺す殺虫剤、カビ除去剤、洗剤、消臭剤、塗布薬のような薬剤や、化粧剤、香水、塗料である。
【０００９】
スメクタイト族粘土鉱物としては、例えば、ロックウッド社製の「ラポナイト」と呼ばれる合成ケイ酸塩を用いる。ラポナイトは、ナトリウムとマグネシウムとリチウム酸とケイ酸ナトリウムとを混合したものを所定の高温度下で反応させて結晶化させ、この結晶化物を洗浄、乾燥、粉砕して形成した微粉末であり、その構造は、Ｎａ＋０．７[(Ｓｉ８Ｍｇ５．５Ｌｉ０．３)Ｏ２０（ＯＨ）４]−０．７である。
【００１０】
そして、水道水に対してラポナイトを約２重量％混合するとともに、水道水に対して噴霧対象物を約１０重量％混合して、これらラポナイトと水と噴霧対象物とを攪拌することによって噴霧対象物混合ゲル３を形成する。この噴霧対象物混合ゲル３は、せん断力を受けることによってゲル構造が破壊されて液状に変化し、せん断力を受けなくなるとゲルに戻る性質を備える。
【００１１】
噴霧対象物混合ゲル噴霧装置１は、上部開口５を有した容器２内に噴霧対象物混合ゲル３を収容した後に、容器２の上部開口５に噴霧器４を取り付けて形成される。
【００１２】
図２に示すように、噴霧器４は、容器２の上部開口５に取り付けられる筒状のキャップ２１と、キャップ２１の筒内を経由して筒を上下に貫通するようキャップ２１に取り付けられたシリンダケース２２と、シリンダケース２２の底の吸入口２３に取り付けられた吸入チューブ２４と、シリンダケース２２の上部隔壁２５を貫通するピストンロッド２６と、シリンダケース２２内に配置されたピストンロッド２６の下端部に設けられてシリンダケース２２の内周壁２７に接触しながらシリンダケース２２内を上下に移動するピストン２８と、ピストンロッド２６の上端部に設けられた噴霧ノズル２９と、ピストンロッド２６内に設けられてピストン２８に形成された上下貫通孔より成る吐出口３０と噴霧ノズル２９とを連結するチューブなどで形成された排出路３１と、吸入口２３の周りに設けられたシリンダケース２２の底内壁３２とピストン２８との間に設けられてピストン２８を上方に付勢するコイルばね３３と、シリンダケース２２の底に設けられて吸入口２３を開閉する球弁３４と、ピストンロッド２６の上下を操作するための操作部３５とを備える。ピストンロッド２６は、上下に延長する上下延長部４１と、上下延長部の上端より横方向に延長する横延長部４２とを備える。横延長部４２の先端に噴霧ノズル２９が設けられる。操作部３５は、取付部４３とレバー４４とレバー支持アーム４５とを備える。取付部４３は円筒形状に形成され、シリンダケース２２が取付部４３の筒を上下に貫通して取付部４３に固定され、取付部４３が、キャップ２１の円筒の中心軸を中心としてキャップ２１に対して回転可能に取り付けられる。レバー支持アーム４５は、取付部４３より上方に斜めに延長して設けられる。レバー４４は、レバー支持アーム４５の上端にヒンジ４６を介して回転可能に取り付けられる。レバー４４は、係合部４７を備え、係合部４７が、ピストンロッド２６の上下延長部４１の上端部に横方向に突出するよう設けられた係合ピン４８と係合する。
【００１３】
以上のような構成の噴霧器４を備えた噴霧対象物混合ゲル噴霧装置１の使用方法を説明する。シリンダケース２２の底内壁３２とピストン２８との間である下室４０に既に噴霧対象物混合ゲル３が取り込まれている状態において、レバー４４を引くと、レバー４４がヒンジ４６を介して下方に回転し、これによりレバー４４の係合部４７がピストンロッド２６の係合ピン４８を押し下げることによって、ピストンロッド２６及びピストン２８が下動する。ピストン２８による押圧力で球弁３４が吸入口２３を閉じるとともに下室４０内の噴霧対象物混合ゲル３がピストン２８で押され、吐出口３０及び排出路３１を経由して介して噴霧ノズル２９から液状となって噴霧される。この場合、ピストン２８の下動によって下室４０内の噴霧対象物混合ゲル３にせん断力が付与されるので、噴霧対象物混合ゲル３のゲル構造が破壊されて噴霧対象物混合ゲル３が液状に変化して噴霧ノズル２９より噴霧される。つまり、噴霧対象物混合ゲル３は、せん断力を受けた直後においてのみ液状に変化して噴霧され、噴霧された後はゲル構造に戻るので、噴霧された場所において垂れ流れたり、噴霧された場所に衝突して噴霧者に跳ね返ることがない。レバー４４を引く力を除くと、コイルばね３３がピストン２８を押し上げる。このとき、下室４０が負圧になって球弁３４が吸入口２３を開き、容器２内の噴霧対象物混合ゲル３が吸入チューブ２４を経由してシリンダケース２の下室４０内に取り込まれる。この後、レバー４４を引けば、上記と同様に噴霧対象物混合ゲル３が噴霧ノズル２９より噴霧される。
【００１４】
最良の形態によれば、噴霧対象物混合ゲル３は、噴霧直後に液状からゲル構造に戻るので、噴霧対象物として、人体に有害な殺虫剤、カビ除去剤、洗剤のような薬剤を用いた場合、噴霧対象物が噴霧された場所に衝突して噴霧者に跳ね返ることを防止でき、安全に使用可能な薬剤を提供性できる。また、噴霧対象物として、人体に噴霧する塗布薬のような薬剤や、化粧剤、香水を用いた場合、噴霧対象物が人肌に噴霧された場合に垂れ流れこともなく、垂れ流れを嫌う人に適した薬剤や、化粧剤、香水を提供できる。また、噴霧対象物として、塗料を用いた場合も、塗料の垂れ流れが防止されるので、定着性が良く、塗りむらの生じにくい塗料を提供できる。噴霧対象物として、消臭剤を用いた場合も、噴霧された場所に消臭剤が定着しやすくなり、消臭維持効果の高い消臭剤が得られる。また、噴霧対象物混合ゲル３は、混合の際に気泡５０（図１参照）を形成するので、容器２に収納された場合に、得意な外観を呈し、美観である。また、例えば、ゲルの化粧剤や塗布薬などの場合、通常、ゲルの化粧剤や塗布薬を手にとって肌に塗りひろげなくてはならず、人によっては不衛生と感じる場合がある。本発明によれば、化粧剤や塗布薬を混合した噴霧対象物混合ゲル３が噴霧器４によって霧状となって肌に直接噴き付けられるので、化粧剤や塗布薬を手にとって肌に塗りひろげなくてもよく、衛生的である。
【産業上の利用可能性】
【００１５】
噴霧対象物混合ゲル３は、容器内にスメクタイト族粘土鉱物と水と噴霧対象物と入れた後に、容器２を振って混合することによって形成してもよい。
噴霧器４としては、上述したレバー式以外の噴霧器、例えば、プッシュボタン式の噴霧器やその他の形式の噴霧器を用いても良い。
【図面の簡単な説明】
【００１６】
【図１】噴霧対象物混合ゲル噴霧装置の斜視図（最良の形態）。
【図２】噴霧器の断面図（最良の形態）。
【符号の説明】
【００１７】
１  噴霧対象物混合ゲル噴霧装置、２  容器、３  噴霧対象物混合ゲル、
４  噴霧器。
【図１】
2008296115.tif 000003
【図２】
2008296115.tif 000004